【手続補正書】
【提出日】平成18年12月8日(2006.12.8)
【手続補正１】
【補正対象書類名】明細書
【補正対象項目名】特許請求の範囲
【補正方法】変更
【補正の内容】
【特許請求の範囲】
【請求項１】  
無線電話機において、
（ａ）  その無線電話機は、
（１）  スピーカ、及び
（２）  マイクロホン
を含み、そして
（ｂ）  その無線電話機は、
（１）  インターネット、イントラネット、又はエクストラネットの番
地を持つマイクロブラウザ又はマイクロクライアントのソフトウ
ェア、
（２）  そのマイクロブラウザ又はマイクロクライアントのソフトウェ
アへの音声コーデック（ＣＯＤＥＣ）管理ソフトウェア、
（３）  現実又は仮想のプッシュツートーク（ＰＴＴ）釦、
（４）  そのＰＴＴ釦の押下に応じ、
（Ａ）  音声コーデック管理ソフトウェアを通してマイクロホン
から発信するストリーミング音声データメッセージ、
及び
（Ｂ）  ＰＴＴ釦が押下されたことの表示、
を送出する手段、及び
（５）  そのＰＴＴ釦の解放に応じ、音声コーデック管理ソフトウェア
を通してスピーカへ着信するストリーミング音声データメッセージを
送出する手段、
（６） 無線電話機においてＰＴＴ釦が各インターネット、イントラネット、
又はエクストラネットの番地に押下されたことの表示を受信する手段、
（７） 1つ以上の無線電話機が押下されたＰＴＴ釦表示を持つか否かを決定
する手段、
（８） どの無線電話機がサーバにストリーミング音声データメッセージを配
置することを許されるかを裁定する手段、
（９） 裁定された無線電話機を選択する手段、
（１０）  裁定された無線電話機からサーバにストリーミング音声データメッ
セージを配置する手段、
（１１）  インターネット、イントラネット、又はエクストラネットで無線電
話機に配置されたストリーミング音声データメッセージを送出する手段、
を含むことを特徴とする無線電話機。
【請求項２】  
インターネット、イントラネット、又はエクストラネットのサーバにおいて、
（ａ）  そのインターネット、イントラネット、又はエクストラネットのサー
バは、複数のインターネット、又はイントラネット若しくはエクストラ
ネットの番地を蓄積する手段を含み、そして
（ｂ）  そのサーバは、
（１）  各番地で、プッシュツートーク（ＰＴＴ）釦が、無線電話機で
押下されたことの表示を受信する手段、
（２）  １つ以上の無線電話機が、押下されたＰＴＴ釦表示を持って
いるかどうかを決定する手段、
（３）  押下されたＰＴＴ釦表示を持つ１つ以上の無線電話機に応じ
て、どの無線電話機が、サーバ上にストリーミング音声データメッセ
ージを配置することを許されるかを裁定する手段、
（４）  その裁定された無線電話機から又は単独の無線電話機からサー
バ上にストリーミング音声データメッセージを配置する手段、
（５）  他の番地で、その配置されたデータを無線電話機へ送出する手段、
及び
（６）  無線電話機及び通信網に組込まれたコンピュータを会議に活動
的に招集する手段
を含むことを特徴とするインターネット、イントラネット、又はエクス
トラネットのサーバ。
【請求項３】  
システムにおいて、
（ａ）  そのシステムは、１番目の無線電話機、２番目の無線電話機又は通信
網に組込まれたコンピュータ、１番目の基地局、２番目の基地局、及び
インターネット、イントラネット、又はエクストラネットのサーバを含
み、
（ｂ）  各無線電話機は、
（１）  スピーカ、及び
（２）  マイクロホン
を含み、
（ｃ）  １番目の無線電話機は、１番目の基地局を用いて無線通信をしてお
り、
（ｄ）  １番目の基地局は、サーバを用いて、インターネット、イントラネッ
ト、又はエクストラネットを通して、通信をしており、
（ｅ）  ２番目の無線電話機は、２番目の基地局を用いて無線通信をしてお
り、
（ｆ）  ２番目の基地局又は通信網に組込まれたコンピュータは、サーバを用
いて、インターネット、イントラネット、又はエクストラネットを通し
て、通信をしており、
（ｇ）  サーバは、複数のインターネット、又はイントラネット若しくはエク
ストラネットの番地を蓄積する手段を含み、
（ｈ）  各無線電話機は、
（１）  インターネット、イントラネット、又はエクストラネットの番
地を持つマイクロブラウザ又はマイクロクライエントのソフトウ
ェア、
（２）  そのマイクロブラウザ又はマイクロクライエントのソフトウェ
アへの音声コーデック（ＣＯＤＥＣ）管理ソフトウェア、
（３）  実在又は仮想のプッシュツートーク（ＰＴＴ）釦、
（４）  そのＰＴＴ釦の押下に応じ、
（Ａ）  音声コーデック管理ソフトウェアを通してそのマイクロ
ホンから発信するストリーミング音声データメッセージ、
及び
（Ｂ）  ＰＴＴ釦が押下されたことの表示、
を送出する手段、及び
（５）  そのＰＴＴ釦の解放に応じ、音声コーデック管理ソフトウェア
を通してスピーカへ着信するストリーミング音声データメッセージを
送出する手段
を含むことを特徴とし、そして
（ｉ）  サーバは、
（１）  各番地で、プッシュツートーク（ＰＴＴ）釦が、無線電話機で
押下されたことの表示を受信する手段、
（２）  １つ以上の無線電話機が、押下されたＰＴＴ釦表示を持って
いるかどうかを決定する手段、
（３）  押下されたＰＴＴ釦表示を持つ１つ以上の無線電話機に応じ
て、どの無線電話機が、サーバ上にストリーミング音声データメッセ
ージを配置することを許されるかを裁定する手段、
（４）  その裁定された無線電話機から又は単独の無線電話機からサー
バ上にストリーミング音声データメッセージを配置する手段、
（５）  他の番地で、配置されたデータを無線電話機へ送出する手段、及び
（６）  無線電話機及び通信網に組込まれたコンピュータを会議に活動
的に招集する手段
を含むことを特徴とするシステム。
【請求項４】
１番目の基地局は、２番目の基地局と同一であることを更に特徴とする請求項３のシステム。
【請求項５】
１番目の基地局は、２番目の基地局と相違することを更に特徴付とする請求項３のシステム。
【請求項６】
サーバは、無線電話機からの要請で、無線電話機の番地を付加し、又は除去するように形成されることを更に特徴とする請求項３のシステム。
【請求項７】
サーバは、無線電話機とは別の装置からの要請で、無線電話機の番地を付加し、又は除去するように形成されることを更に特徴とする請求項３のシステム。
【請求項８】
サーバは、無線電話機からの要請で、１つ又はそれより多いストリーミング音声データメッセージを蓄積するように、そしてその次の要請で、それらを無線電話機へ転送するように形成されることを更に特徴とする請求項３のシステム。
【請求項９】
システムは、更に、無線電話機ではなく、無線電話機をエミュレートするように構成され、そしてサーバに接続された、少なくとも１つの付加的装置を含むことを更に特徴とする請求項３のシステム。
【請求項１０】
サーバは、２番目の装置からの要請で、無線電話機又は１番目の装置の番地を付加し、又は除去するように形成されることを更に特徴とする請求項９のシステム。
【請求項１１】
無線電話機を操作する方法において、
（ａ）  その無線電話機は、
（１）  スピーカ、及び
（２）  マイクロホン
を含み、
（ｂ）  その無線電話機は、
（１）  インターネット、イントラネット、又はエクストラネットの番
地を持つマイクロブラウザ又はマイクロクライアントのソフトウ
ェア、
（２）  そのマイクロブラウザ又はマイクロクライアントのソフトウェ
アの音声コーデック（ＣＯＤＥＣ）管理ソフトウェア、及び
（３）  現実又は仮想のプッシュツートーク（ＰＴＴ）釦、
を含むことを特徴とし、そして
（ｃ）  その方法は、
（１）  ＰＴＴ釦を押下し、
（２）  ＰＴＴ釦の押下に応じ、
（Ａ）  音声コーデック管理ソフトウェアを通してマイクロホン
から発信するストリーミング音声データメッセージ、
及び
（Ｂ）  ＰＴＴ釦が押下されたことの表示
を送出し、
（３）  ＰＴＴ釦を解放し、
（４）  ＰＴＴ釦の解放に応じ、その音声コーデック管理ソフトウェア
を通してスピーカへ着信するストリーミング音声データメッセージを
送出し、
（５）  無線電話機においてＰＴＴ釦が各インターネット、イントラネット、
又はエクストラネットの番地に押下されたことの表示を受信し、
（６）  1つ以上の無線電話機が押下されたＰＴＴ釦表示を持つか否かを決定
し、
（７）  どの無線電話機がサーバにストリーミング音声データメッセージを配
置することを許されるかを裁定し、
（８）  裁定された無線電話機を選択し、
（９）  裁定された無線電話機からサーバにストリーミング音声データメッ
セージを配置し、
（１０）  インターネット、イントラネット、又はエクストラネットで無線電
話機に配置されたストリーミング音声データメッセージを送出する、
ことを含むことに特徴とする無線電話機を操作する方法。
【請求項１２】
インターネット、イントラネット、又はエクストラネットのサーバを操作する方法において、
（ａ）  その方法は、複数のインターネット、イントラネット、又はエクスト
ラネットの番地を蓄積することを含み、そして
（ｂ）  方法は、更に、
（１）  各番地で、プッシュツートーク（ＰＴＴ）釦が、無線電話機で
押下されたことの表示を受信し、
（２）  １つ以上の無線電話機が、押下されたＰＴＴ釦表示を持って
いるかどうかを決定し、
（３）  １つ以上の無線電話機が、押下されたＰＴＴ釦表示を持って
いる場合、どの無線電話機が、サーバ上にストリーミング音声デー
タメッセージを配置することを許されるかを裁定し、
（４）  その裁定された無線電話機から又は単独の無線電話機からサー
バ上にストリーミング音声データメッセージを配置し、
（５）  他の番地で、その配置されたストリーミング音声データメッセージ
を無線電話機へ送出し、そして
（６）  無線電話機及び通信網に組込まれたコンピュータを会議に活動
的に招集する
ことを含むことを特徴とするインターネット、イントラネット、又はエクストラネットのサーバを操作する方法。
【請求項１３】
システムを操作する方法において、
（ａ）  そのシステムは、１番目の無線電話機、２番目の無線電話機、１番目
の基地局、２番目の基地局、及びインターネット、イントラネット、又
はエクストラネットのサーバを含み、
（ｂ）  各無線電話機は、
（１）  スピーカ、及び
（２）  マイクロホン、
を含み、
（ｃ）  １番目の無線電話機は、１番目の基地局を用いて、無線通信をしてお
り、
（ｄ）  １番目の基地局は、サーバを用いて、インターネット、イントラネッ
ト、又はエクストラネットを通して、通信をしており、
（ｅ）  ２番目の無線電話機は、２番目の基地局を用いて、無線通信をしてお
り、
（ｆ）  ２番目の基地局は、サーバを用いて、インターネット、イントラネッ
ト、又はエクストラネットを通して、通信をしており、
（ｇ）  サーバは、複数のインターネット、又はイントラネット若しくはエク
ストラネットの番地を蓄積する手段を含み、
（ｈ）  各無線電話機は、
（１）  インターネット、イントラネット、又はエクストラネットの番
地を持つマイクロブラウザ又はマイクロクライアントのソフトウ
ェア、
（２）  そのマイクロブラウザ又はマイクロクライアントのソフトウェ
アの音声コーデック（ＣＯＤＥＣ）管理ソフトウェア、及び
（３）  現実又は仮想のプッシュツートーク（ＰＴＴ）釦、
を含むことを特徴とし、そして
（ｉ）  その方法は、
（１）  １番目の無線電話機上でＰＴＴ釦を押下し、
（２）  １番目の無線電話機は、ＰＴＴ釦の押下に応じ、
（Ａ）  音声コーデック管理ソフトウェアを通してマイクロホン
から発信するストリーミング音声データメッセージ、及び
（Ｂ）  ＰＴＴ釦が押下されたことの表示
を１番目の基地局へ送出し、
（３）  １番目の基地局は、ＰＴＴ釦が、１番目の無線電話機で押下さ
れたことの表示をサーバへ送出し、
（４）  そのサーバは、１つ以上の無線電話機が、押下されたＰＴＴ
釦表示を持つ場合、どの無線電話機が、サーバ上にストリーミング
音声データメッセージを配置することを許されるかを裁定し、
（５）  その裁定された無線電話機から又は単独の無線電話機からサー
バ上にストリーミング音声データメッセージを配置し、
（６）  サーバは、２番目の基地局を通してその配置されたストリーミング
音声データメッセージを２番目の無線電話機へ送出し、
（７）  ２番目の無線電話機は、ＰＴＴ釦の解放に応じ、音声コーデッ
ク管理ソフトウェアを通して配置されたストリーミング音声データメ
ッセージをスピーカへ送出し、そして
（８）  サーバは、もしあるなら他の番地で、配置されたストリーミング音
声データメッセージを無線電話機へ送出する
ことを含むことを特徴とするシステムを操作する方法。
【請求項１４】
１番目の基地局は、２番目の基地局と同一であることを更に特徴とする請求項１３の方法。
【請求項１５】
１番目の基地局は、２番目の基地局と相違することを更に特徴とする請求項１３の方法。
【請求項１６】
方法は、更に、無線電話機からの要請で、無線電話機の番地を付加し、又は除去することを含むことを更に特徴とする請求項１３の方法。
【請求項１７】
方法は、更に、無線電話機とは別の装置からの要請で、無線電話機の番地を付加し、又は除去することを含むことを更に特徴とする請求項１３の方法。
【請求項１８】
方法は、更に、サーバが、無線電話機からの要請で、１つ又はそれより多いストリーミング音声データメッセージを蓄積し、そしてその次の要請で、それを無線電話機へ転送することを含むことを更に特徴とする請求項１３の方法。
【請求項１９】
システムは、更に、無線電話機ではなく、無線電話機をエミュレートするように構成され、かつサーバに接続された、少なくとも１つの付加的装置を含むことを更に特徴とする請求項１３の方法。
【請求項２０】
（ａ）  サーバは、２番目の装置からの要請で、無線電話機又は１番目の装置の番地を付加し、又は除去するように形成され、そして
方法は、２番目の装置で、無線電話機又は１番目の装置を表すアバターをクリックすることを含むことを更に特徴とする請求項１９の方法。